(57)【要約】【課題】  簡易にプライバシーを保護し得る電子カメラを提案する。【解決手段】  ユーザ操作をトリガーとして血管撮像カメラ２１を駆動し、当該血管撮像カメラ２１により撮像された血管画像と、フラッシュメモリ３１に登録された血管画像との合致度に応じて、当該フラッシュメモリ３１に対する記憶命令及び読み出し命令を受け付けるようにしたことにより、ユーザ操作に応動して自動的に認証することができるため、当該ユーザ操作を煩雑化させることなくフラッシュメモリ３１の記憶内容を保護することができる。【選択図】        図４
2006186951.tif 000002
【特許請求の範囲】
【請求項１】
被写体を撮像する第１の撮像手段と、
ユーザの所定部位における認証対象を撮像する第２の撮像手段と、
上記第１の撮像手段により撮像された上記被写体をデータとして記憶する記憶手段と、
上記第２の撮像手段及び上記記憶手段を制御する制御手段と
を具え、
上記制御手段は、
ユーザ操作をトリガーとして上記第２の撮像手段を駆動し、当該第２の撮像手段により撮像された上記認証対象と、登録された上記認証対象との合致度に応じて、上記記憶手段に対する記憶命令及び読み出し命令を受け付ける
ことを特徴とする電子カメラ。
【請求項２】
上記ユーザ操作は、電源投入操作である
ことを特徴とする請求項１に記載の電子カメラ。
【請求項３】
被写体を撮像するためのシャッタ操作部を具え、
上記第２の撮像手段は、上記シャッタ操作部を操作するユーザの指における認証対象を撮像する
ことを特徴とする請求項１に記載の電子カメラ。
【請求項４】
被写体を撮像するためのシャッタ操作部を具え、
上記制御手段は、
上記シャッタ操作部に対するユーザ操作をトリガーとして、上記合致度を検出する
ことを特徴とする請求項１に記載の電子カメラ。
【請求項５】
上記検出結果を表示する表示手段を具え、
上記第２の撮像手段は、上記表示手段の周囲に設けられた
ことを特徴とする請求項１に記載の電子カメラ。
【発明の詳細な説明】
【技術分野】
【０００１】
本発明は、電子カメラに関し、例えば生体に内在する固有構造物を撮像する場合に適用して好適なものである。
【背景技術】
【０００２】
従来、感光式カメラは、内部の暗室に収納された写真フィルムに被写体の反射光を導光し、この反射光で写真フィルムを感光するようにして、当該被写体を撮像するようになされている。この種の感光式カメラでは、感光された写真フィルムを現像するまで被写体が視認できない点で利便性に劣るが、当該現像するまで第三者に被写体が視認されない点でプライバシーを保護するという意義を有していた。
【０００３】
近年、この種の感光式カメラに代わるものとして電子カメラがある。この電子カメラは、被写体の反射光を光電変換し、得られた被写体画像信号を被写体画像データとして内部メモリ記憶する。そして電子カメラは、内部メモリに記憶した被写体画像データに基づく被写体画像をユーザ操作に応じて表示部に表示し得るようになされている。従ってこの電子カメラでは、現像という過程を要することなく直ちに被写体を視認することができる点で利便性に富むが、第三者も同様に視認することができてしまう点でプライバシーを保護できないという問題があった。
【０００４】
かかる問題を解決する１つの対策として、パスワードを事前に操作部を介して設定しておき、当該設定したパスワードを入力した後のみ内部メモリ記憶した被写体画像データに基づく被写体画像を表示部に表示するといった手法が考えられる。
【０００５】
しかしながら、かかる手法では、パスワードを常に記憶するといった行為がユーザに強いられることになるため煩雑化すると共に、第三者に盗用され易いため当該パスワードの信頼性が乏しい。
【０００６】
ところで、血管に内在するヘモグロビンに近赤外線帯域の光が特異的に吸収されることを利用して血管を撮像し、この結果得られる血管画像における血管を認証対象として本人(登録者)の有無を判定する認証装置が提案されている（例えば非特許文献１参照）。
【０００７】
かかる認証機能を電子カメラに適用して、本人であると判定したときに内部メモリに対するアクセスを許可するといったことができれば、記憶行為をユーザに強要することや、第三者に容易に盗用されることを回避できることになるため、プライバシーを保護することができるものと考えられる。
【特許文献１】特開２００４−１３５６０９公報
【発明の開示】
【発明が解決しようとする課題】
【０００８】
しかしながら、認証機能を電子カメラに適用することに伴って、新たなユーザ操作を要求することになれば、当該電子カメラに対するユーザ操作が煩雑化し、却って電子カメラの利便性を損なうといった問題を招くことになる。
【０００９】
本発明は以上の点を考慮してなされたもので、簡易にプライバシーを保護し得る電子カメラを提案しようとするものである。
【課題を解決するための手段】
【００１０】
かかる課題を解決するため本発明は、電子カメラにおいて、被写体を撮像する第１の撮像手段と、ユーザの手部における認証対象を撮像する第２の撮像手段と、上記第１の撮像手段により撮像された上記被写体をデータとして記憶する記憶手段と、上記第２の撮像手段及び上記記憶手段を制御する制御手段とを設け、当該制御手段では、ユーザ操作をトリガーとして上記第２の撮像手段を駆動し、当該第２の撮像手段により撮像された上記認証対象と、登録された上記認証対象との合致度に応じて、上記記憶手段に対する記憶命令及び読み出し命令を受け付けるようにした。
【００１１】
従って、この電子カメラでは、ユーザ操作に応動して自動的に認証することができるため、当該ユーザ操作を煩雑化させることなく記憶手段の記憶内容を保護することができる。
【発明の効果】
【００１２】
本発明によれば、ユーザ操作をトリガーとして、ユーザの手部における認証対象を撮像する第２の撮像手段を駆動するように制御し、当該第２の撮像手段により撮像された認証対象と、登録された認証対象との合致度に応じて、記憶手段に対する記憶命令及び読み出し命令を受け付けるように記憶手段を制御するようにしたことにより、ユーザ操作に応動して自動的に認証することができるため、当該ユーザ操作を煩雑化させることなく記憶手段の記憶内容を保護することができ、かくして簡易にプライバシーを保護することができる。
【発明を実施するための最良の形態】
【００１３】
以下図面について本発明を適用した実施の形態を詳述する。
【００１４】
（１）電子カメラの全体構成
（１−１）電子カメラの外観構成
図１〜図３において、１は全体として本実施の形態による電子カメラ１の外観構成を示し、略直方体形状に形成された筺体２における被写体と対向させる面（以下、これを被写体対向面と呼ぶ）２Ａの上段には、フラッシュ３、調光窓４及びファインダ５がそれぞれ設けられている。
【００１５】
そしてこの被写体対向面２Ａの中段及び下段には、所定の機能を司る複数枚のレンズ、絞り及びＣＣＤ(Charge Coupled Device)を含んでなる被写体撮像用の第１のＣＣＤカメラ（以下、これを被写体撮像カメラと呼ぶ）６が、当該被写体対向面２Ａと直交する方向に、撮像状態（図１）から非撮像状態（図２）にわたって伸縮自在に設けられている。
【００１６】
一方、この筺体２における撮像者に対向させる面（以下、これを撮像者対向面と呼ぶ）２Ｂの上段には、ファインダ５が設けられている。そしてこのファインダ５の左側には、フラッシュボタン７Ａ及びマクロボタン７Ｂがそれぞれ配設されていると共に、当該ファインダ５の右側には、シーソーボタン式のズームボタン７Ｃが配設されており、対応するボタン７Ａ、７Ｂ、７Ｃの押圧操作により被写体を照明したり、近接させた状態で撮像（接写）したり、小さく又は大きくし得るようになされている。
【００１７】
またこの撮像者対向面７Ｂの中段及び下段には、ＬＣＤ（Liquid Crystal Display）８が設けられており、このＬＣＤ８の右側には、コントロールボタン７Ｄが配設されており、当該コントロールボタン７Ｄを上下左右方向や奥行方向に押圧操作することによって、ＬＣＤ８にメニュー画面を表示したり、そのメニュー画面内に表示された各種選択肢の中から所望の選択肢を選択したり、その選択肢を選択対象として決定し得るようになされている。
【００１８】
そしてこのコントロールボタン７Ｇの右側には、ＵＳＢ（Universal Serial Bus）端子９及びＤＣ(Direct Current)端子１０がそれぞれ設けられていると共に、これらＵＳＢ端子９及びＤＣ端子１０を保護する端子カバー１１が開閉自在に設けられている。これにより電子カメラ１においては、このＵＳＢ端子９を介してパーソナルコンピュータ等の外部機器とＵＳＢ接続し、当該ＵＳＢ接続された外部機器との間でこの電子カメラ１に保存された被写体像の画像データ等の各種データを外部機器に出力したり、当該外部機器から与えられる各種データを取り込み得るようになされている。
【００１９】
他方、この筺体２における上面２Ｃには、一端側にスライド式のパワースイッチ７Ｅ及びシャッタボタン７Ｆが配設されており、当該パワースイッチ７Ｅのスライド操作によりこの電子カメラ１を起動し、シャッタボタン７Ｆの押圧操作により被写体を撮像し得るようになされている。
【００２０】
またこのシャッタボタン７Ｆの周囲には、近赤外光を照射する複数の近赤外光光源を所定の間隔ごとに配された近赤外光照射部２０が設けられていると共に、その上部には、マクロレンズ、近赤外光以外の帯域光を制限する帯域制限フィルタ及びＣＣＤを含んでなる血管撮像用の第２のＣＣＤカメラ（以下、これを血管撮像カメラと呼ぶ）２１が設けられており、当該近赤外光照射部２０から近赤外光が照射されている際に、シャッタボタン７Ｆに載置される指の血管を撮像し得るようになされている。
【００２１】
（１−２）電子カメラの内部構成
次に、かかる電子カメラ１における筐体２の内部構成を図３に示す。
【００２２】
この図４において、電子カメラ１は、当該電子カメラ１全体を司るＣＰＵ(Central Processing Unit)、各種プログラムが格納されたＲＯＭ(Read Only Memory)及び当該ＣＰＵのワークメモリとしてのＲＡＭ(Random Access Memory)からなるマイクロコンピュータ構成の制御部３０を有し、この制御部３０には、上述のフラッシュボタン７Ａ、マクロボタン７Ｂ、ズームボタン７Ｃ、コントロールボタン７Ｄ、パワースイッチ７Ｅ及びシャッタボタン７Ｆのいずれかが操作されたときに、これに応じた操作入力信号Ｓ１が対応するボタン７から与えられる。
【００２３】
そして制御部３０は、この操作入力信号Ｓ１に基づいてユーザ操作の操作内容を認識し、当該認識結果とＲＯＭに格納された各種制御プログラムとに基づいて、当該制御部３０に接続されたＬＣＤ８、フラッシュメモリ３１、カメラ駆動部３２、被写体画像処理部３３、血管画像処理部３４及びＵＳＢインターフェース３５を適宜制御するようになされている。
【００２４】
カメラ駆動部３２は、制御部３０の制御のもとに、被写体撮像カメラ６を駆動するか、あるいは近赤外光照射部２０及び血管撮像カメラ２１を駆動するようになされており、当該被写体撮像カメラ６を駆動した場合、この被写体撮像カメラ６では、ＣＣＤの撮像面に結像される被写体の撮像結果が、被写体画像信号Ｓ１０１、Ｓ１０２、……、Ｓ１０ｎとして、当該被写体撮像カメラ６からＬＣＤ８及び被写体画像処理部３３に順次出力される。
【００２５】
またこの場合、カメラ駆動部３２は、その後の制御部３０の制御に応じて、フラッシュ５（図１及び図２）を駆動し、被写体撮像カメラ６における光学系の絞りを可変するようにして当該被写体撮像カメラ６のＣＣＤに入射する光の光量を調整し、又は被写体撮像カメラ６における光学系のレンズ位置を可変するようにして焦点距離及びフォーカス位置を調整するようになされている。
【００２６】
一方、近赤外光照射部２０及び血管撮像カメラ２１を駆動した場合、近赤外光照射部２０から照射される近赤外光は、このときシャッタボタン７Ｆに載置される指内方を反射及び散乱するようにして経由し、当該指を投影する近赤外光としてその指から血管撮像カメラ２１に入射する。そしてこの血管撮像カメラ２１では、ＣＣＤの撮像面に結像される血管の撮像結果が、血管画像データＳ２０として、当該血管撮像カメラ２１から血管画像処理部３５に順次出力される。
【００２７】
被写体画像処理部３３は、制御部３０の制御のもとに、被写体撮像カメラ６から順次出力される被写体画像信号Ｓ１０１〜Ｓ１０ｎに基づく各画像を、リアルタイムに動画像としてＬＣＤ８に表示すると共に、シャッタボタン７Ｂの押圧された瞬間の被写体画像信号Ｓ１０に基づく画像を、撮像時の静止画像としてそのとき表示していた動画像に代えてＬＣＤ８に表示する。
【００２８】
また被写体画像処理部３３は、制御部３０の制御のもとに、シャッタボタン７Ｂの押圧された瞬間の被写体画像信号Ｓ１０に対して、例えばＪＰＥＧ(Joint Photographic Experts Group)等の所定の圧縮方式に準拠した圧縮処理を施し、かくして得られる圧縮画像データＤ１０をフラッシュメモリ３１に記憶する。
【００２９】
血管画像処理部３４は、制御部３０の制御のもとに、血管撮像カメラ２１から出力される血管画像信号Ｓ２０に対して、ノイズ成分除去及び輪郭強調等に対応する各種フィルタリング処理を施し、このフィルタリング処理結果に対して、２値化処理及びモルフォロジーと呼ばれる血管線状化処理を順次施し、かくして得られた血管画像データＤ２０を制御部３０に送出する。
【００３０】
ＵＳＢインターフェース３５は、制御部３０の制御のもとに、ＵＳＢ端子９を介してＵＳＢ接続された外部機器から供給されるデータをフラッシュメモリ３１に記憶し、当該フラッシュメモリ３１から読み出されて与えられたデータを外部機器に出力するようになされている。
【００３１】
（２）血管登録機能
この実施の形態の場合、この電子カメラ１には、当該電子カメラ１に対するユーザの指部における血管の血管画像を登録データとしてフラッシュメモリ３１に登録させるアプリケーションソフトウェアが記録されたＣＤ−ＲＯＭ（Compact Disc-Read Only Memory）が付属品として同梱されており、このアプリケーションソフトウェアで生成される血管登録命令に応じて、当該血管の血管画像を登録する血管登録機能が搭載されている。
【００３２】
実際上、制御部３０は、かかるアプリケーションソフトウェアがインストールされたパーソナルコンピュータ等の外部機器であって、ＵＳＢ端子９にＵＳＢ接続された外部機器からＵＳＢインターフェース３５を介して血管登録命令を受けると、ＣＤ−ＲＯＭのシリアルナンバーの入力画面をＬＣＤ８に表示する。
【００３３】
そして制御部３０は、コントロールボタン７Ｆ（図３）からの入力操作信号に基づいて、ＣＤ−ＲＯＭのシリアルナンバーを認識すると、このシリアルナンバーがこの電子カメラ１に予め対応付けられたシリアルナンバーであるか否かを判断する。
【００３４】
また制御部３０は、この電子カメラ１に予め対応付けられたシリアルナンバーである判断結果を得た場合には、近赤外光照射部２０及び血管撮像カメラ２１を、カメラ駆動部３２を制御して駆動させ、このときシャッタボタン７Ｆ（図１〜図３）に載置される指の血管の撮像結果として血管撮像カメラ２１から出力される血管画像信号Ｓ２を、血管画像処理部３４を制御して血管画像データＤ２０として生成させ、当該生成させた血管画像データＤ２０を登録データＤＲとしてフラッシュメモリ３１に登録する。
【００３５】
このようにしてこの電子カメラ１では、当該電子カメラ１に予め対応付けられたアプリケーションソフトウェアで生成された血管登録命令を受けた場合にのみ、血管画像をフラッシュメモリ３１に登録することができるようになされている。
【００３６】
（３）不正メモリアクセス防止機能
かかる構成に加えて、この電子カメラ１には、フラッシュメモリ３１に登録された血管画像と、血管撮像カメラ２１における撮像結果との合致度に応じて、フラッシュメモリ３１に対するアクセスに関する各種命令を受け付ける不正メモリアクセス防止機能が搭載されている。
【００３７】
実際上、制御部３０は、電源非投入時（断絶時）において、動作モードを第１のモードに遷移させて、パワースイッチ７Ｅからの操作入力信号Ｓ１を待ち受けるようになされており（図５：ステップＳＰ１）、当該操作入力信号Ｓ１に基づいて電源投入操作を認識すると、動作モードを第２のモードに遷移させて、カメラ駆動部３２及び血管画像処理部３４を制御することにより認証処理を実行する（図５：ステップＳＰ２）。
【００３８】
すなわち制御部３０は、近赤外光照射部２０及び血管撮像カメラ２１を、カメラ駆動部３２を制御して駆動させ、このときシャッタボタン７Ｆ（図１〜図３）に載置される指の血管の撮像結果として血管撮像カメラ２１に出力される血管画像信号Ｓ２を、血管画像処理部３４を制御して血管画像データＤ２０として生成させる。
【００３９】
そして制御部３０は、フラッシュメモリ３１から登録データＤＲを読み出し、この登録データに基づく血管画像と、かかる血管画像データＤ２０に基づく血管画像との間における血管の形成パターンの合致度を検出するようになされている。
【００４０】
この状態において制御部３０は、かかる認証処理結果として得られる合致度に応じて、このとき撮像された血管が登録者本人のものであるか否かを判定するようになされており（図５：ステップＳＰ３）、当該合致度が所定の閾値以下であった場合、このとき撮像された血管が登録者本人のものではないと判定し、この場合には、この電子カメラ１を起動することなく当該判定結果をＬＣＤ８を介して通知すると共に、カメラ駆動部３２及び血管画像処理部３４の制御を停止し、この後に、動作モードを第１のモードに遷移させて、再びパワースイッチ７Ｅからの操作入力信号Ｓ１を待ち受ける（図５：ステップＳＰ１）。
【００４１】
これに対して、制御部３０は、合致度が所定の閾値よりも高い場合、このとき撮像された血管が登録者本人であると判定し、この場合には、動作モードを第３のモードに遷移させて、この電子カメラ１を起動する（図５：ステップＳＰ４）。
【００４２】
そして制御部３０は、その後に各種ボタン７Ａ〜７Ｆから与えられる操作入力信号Ｓ１に基づいて、ＬＣＤ８、フラッシュメモリ３１、カメラ駆動部３２、被写体画像処理部３３及びＵＳＢインターフェース３５を適宜制御することにより、ユーザ操作に対応する処理を実行する（図５：ステップＳＰ５）。
【００４３】
この際、制御部３０は、パワースイッチ７Ｅからの操作入力信号Ｓ１に基づいて、電源断絶操作を認識すると（図５：ステップＳＰ６）、この電子カメラ１を停止させた後に、第１のモードに遷移させて、再びパワースイッチ７Ｅからの操作入力信号Ｓ１を待ち受ける（図５：ステップＳＰ１）。
【００４４】
なお、制御部３０は、上述の第１又は第３のモード時に、外部機器からＵＳＢインターフェース３５を介して血管登録命令を受けたとき、当該第１又は第３のモードを一時的に中断して、予めこの電子カメラ１に対応付けられたアプリケーションソフトウェアで生成された血管登録命令であった場合にのみ血管画像をフラッシュメモリ３１に登録することができるようになされている。
【００４５】
このようにしてこの電子カメラ１では、フラッシュメモリ３１に登録された血管画像と、血管撮像カメラ２１における撮像結果との合致度に応じて、フラッシュメモリ３１に対するアクセスに関する各種命令を受け付けることができるようになされている。
【００４６】
（４）動作及び効果
以上の構成において、この電子カメラ１は、ユーザ操作をトリガーとして血管撮像カメラ２１を駆動し、当該血管撮像カメラ２１により撮像された血管画像と、フラッシュメモリ３１に登録された血管画像との合致度に応じて、当該フラッシュメモリ３１に対する記憶命令及び読み出し命令を受け付ける。
【００４７】
従って、この電子カメラ１では、ユーザ操作に応動して自動的に認証することができるため、当該ユーザ操作を煩雑化させることなくフラッシュメモリ３１の記憶内容を保護することができる。
【００４８】
またこの電子カメラ１は、トリガーとするユーザ操作を、電源投入操作としている。従って、この電子カメラ１では、ユーザ操作のうち必然的に最初のユーザ操作に応動して自動的に認証することができるため、当該ユーザに特別な操作意識を抱かせることなくフラッシュメモリ３１の記憶内容を保護することができる。
【００４９】
さらにこの電子カメラ１は、血管撮像カメラ２１によって、被写体を撮像するためのシャッタボタン７Ｆを操作するユーザの指に内在する血管を撮像する。従って、この電子カメラ１では、電子カメラ１で必然的な操作であるシャッタボタン７Ｆの操作する際に自動的に認証することができるため、当該ユーザに特別な操作意識を抱かせることなくフラッシュメモリ３１の記憶内容を保護することができる。
【００５０】
これに加えて、血管を認証対象としているため、生体表面に有する指紋等を対象とする場合に比して、生体からの直接的な盗用のみならず第三者による登録者への成りすましをも防止でき、この結果、より一段とフラッシュメモリ３１の記憶内容を保護することができる。
【００５１】
以上の構成によれば、ユーザ操作をトリガーとして血管撮像カメラ２１を駆動し、当該血管撮像カメラ２１により撮像された血管画像と、フラッシュメモリ３１に登録された血管画像との合致度に応じて、当該フラッシュメモリ３１に対する記憶命令及び読み出し命令を受け付けるようにしたことにより、ユーザ操作に応動して自動的に認証することができるため、当該ユーザ操作を煩雑化させることなくフラッシュメモリ３１の記憶内容を保護することができ、かくして簡易にプライバシーを保護することができる。
【００５２】
（５）他の実施の形態
上述の実施の形態においては、ユーザの所定部位における認証対象を撮像する第２の撮像手段として、血管撮像カメラ２１をシャッタボタン７Ｆに設けるようにした場合について述べたが、本発明はこれに限らず、例えばこの他種々の位置に設けるようにしても良い。特に、ＬＣＤ８の周囲に設けるようにすれば、ユーザは、当該ＬＣＤ８の周囲に指を載置しながらその指における認証結果を目視することができるため有効である。
【００５３】
また認証対象として、上述の実施の形態では、血管を適用するようにした場合について述べたが、本発明はこれに限らず、例えば生体に内在する神経や、生体に表在する指紋や口紋等、この他種々の認証対象を適用することができる。因みに、神経を適用する場合には、例えば神経に特異的なマーカを体内に注入し、当該マーカを撮像するようにすれば、上述の実施の形態と同様にして神経を撮像することができる。
【００５４】
さらに生体部位として、上述の実施の形態では、指を適用するようにした場合について述べたが、本発明はこれに限らず、例えば掌又は目等、この他種々の生体部位を適用することができる。
【００５５】
さらに血管撮像カメラ２１を、上述の実施の形態では、伸縮自在の被写体撮像カメラ６とは独立して設けるようにした場合について述べたが、本発明はこれに限らず、当該被写体撮像カメラ６を血管撮像用として用いるようにしても良い。
【００５６】
具体的に、他の実施の形態による電子カメラを例えば図１との対応部分に同一符号を付した図６に示す。この電子カメラ５０は、伸縮自在の被写体撮像カメラ６に代えて、固定の被写体撮像カメラ５１を筺体２内部に有する点、当該筺体２の被写体対向面２Ａに対して、被写体撮像カメラ５１を保護用のレンズキャップ５２を装脱着自在に連結している点において、上述の実施の形態による電子カメラ１とは相違する。
【００５７】
そしてこのレンズキャップ５２には、被写体撮像カメラ４０の光軸上に沿って、撮像孔５２Ａが穿設されており、当該撮像孔５２Ａには、その一端に近赤外光光源５２Ｂ及び５２Ｃが設けられていると共に、その他端に近赤外光以外の帯域光を制限する帯域制限フィルタ機能を有するマクロレンズ（以下、これを帯域制限フィルタ機能付きマクロレンズと呼ぶ）５２Ｄが設けられている。
【００５８】
この電子カメラ５０は、筺体２からレンズキャップ５２を脱着した状態において、被写体を被写体撮像カメラ４０で撮像する一方、当該筺体２にレンズキャップ５２を装着した状態において、撮像孔５２Ａの一端に載置された指ＦＧに対して近赤外光光源５２Ｂ及び５２Ｃから近赤外光を照射し、その指ＦＧを経由して撮像孔５２Ａ及び帯域制限フィルタ機能付きマクロレンズ５２Ｄを順次介して被写体撮像カメラ４０におけるＣＣＤの撮像面に結像される血管を撮像する。
【００５９】
このようにして被写体撮像カメラ６を血管撮像用として用いるようにすれば、当該被写体撮像カメラ６を共用できる分だけ、上述の実施の形態の場合に比して小型化することができる。
【００６０】
また上述の実施の形態においては、第１の撮像手段により撮像された被写体をデータとして記憶する記憶手段として、フラッシュメモリ３１を適用するようにした場合について述べたが、本発明はこれに限らず、例えばＨＤＤ(Hard Disk Drive)や、装脱着自在のメモリスティック（ソニー株式会社  登録商標）等、この他種々の記憶手段を幅広く適用することができる。この場合、この記憶手段においては、電子カメラ１とは別体として、無線による伝送路を介して接続した形態とするようにしても良い。
【００６１】
さらに上述の実施の形態においては、第２の撮像手段を制御する制御手段として、電源投入操作をトリガーとして血管撮像カメラ２１を駆動するようにした場合について述べたが、本発明はこれに限らず、ＵＳＢ端子９にＵＳＢ接続する接続操作や、シャッタボタン７Ｆの押圧操作等、この他種々のユーザ操作をトリガーとして血管撮像カメラ２１を駆動するようにしても良い。特に、シャッタボタン７Ｆの押圧操作をトリガーとする場合には、電子カメラ１で必然的な操作であるシャッタボタン７Ｆの操作する際に自動的に認証開始することができるため、当該ユーザに特別な操作意識を抱かせることがない点で特に有効となる。
【００６２】
さらに上述の実施の形態においては、被写体を撮像するためのシャッタ操作部として、押圧式のシャッタボタン７Ｆを適用するようにした場合について述べたが、本発明はこれに限らず、例えばスライド式のシャッタボタンや、電子カメラ１とは別体として設けられたシャッタボタン等を適用するようにしても良い。
【００６３】
さらに上述の実施の形態においては、被写体画像処理部３３と、血管画像処理部３４とを別々に設けるようにした場合について述べたが、本発明はこれに限らず、当該処理部３３、３４での各種処理をＤＳＰ(Digital Signal Processor)で共用するようにして一体化しても良い。
【００６４】
さらに上述の実施の形態においては、電子カメラの構成として、図１〜図３に示した外観構成及び図４に示した内部構成の電子カメラ１を適用するようにした場合について述べたが、本発明はこれに限らず、この他種々の構成の電子カメラを適用することができる。
【産業上の利用可能性】
【００６５】
本発明は、電子カメラで撮像等する場合に利用可能である。
【図面の簡単な説明】
【００６６】
【図１】電子カメラの外観構成（１）を示す略線図である。
【図２】電子カメラの外観構成（２）を示す略線図である。
【図３】電子カメラの外観構成（３）を示す略線図である。
【図４】電子カメラの内部構成を示すブロック図である。
【図５】不正アクセス防止処理手順を示すフローチャートである。
【図６】他の実施の形態による電子カメラの構成を示す断面図である。
【符号の説明】
【００６７】
１、５０……電子カメラ、２……筺体、６……被写体撮像カメラ、７……ボタン、８……ＬＣＤ、９……ＵＳＢ端子、２０……近赤外光照射部、２１……血管撮像カメラ、３０……制御部、３１……フラッシュメモリ、３２……カメラ駆動部、３３……被写体画像処理部、３４……血管画像処理部、３５……ＵＳＢインターフェース、５２Ａ……撮像孔、５２Ｂ、５２Ｃ……近赤外光光源、５２Ｄ……帯域制限フィルタ機能付きマクロレンズ、Ｓ１……操作入力信号、Ｓ１０１〜Ｓ１０ｎ……被写体画像信号、Ｓ２０……血管画像信号、Ｄ１０……圧縮画像データ、Ｄ２０……血管画像データ、ＲＴ……不正アクセス防止処理手順。
【図１】
2006186951.tif 000003
【図２】
2006186951.tif 000004
【図３】
2006186951.tif 000005
【図４】
2006186951.tif 000006
【図５】
2006186951.tif 000007
【図６】
2006186951.tif 000008